(57)【要約】      （修正有）【課題】支柱の高さを高くすることなく、防球を確実にすることができる天井ネット吊下げ型防球ネットポールおよび天井吊下げ型防球ネットシステムを提供する。【解決手段】天井ネット吊下げ型防球ネットポール１００は、鉛直部１０と、鉛直部１０に固定された天井梁用継手管５０と、天井梁用継手管５０に接続された天井梁２０と、天井梁２０の先端と鉛直部の先端とを連結する斜材３０とを有し、天井梁用継手管５０は、鉛直部１０に固定された水平継手板４０および鉛直リブ５１、５３によって補強されている。天井梁２０の先端に固定された先端滑車取付板２１に取り付けられた先端滑車と鉛直リブ５１に取り付けられた天井滑車とに天井ネット用ワイヤーが支持され、天井ネット用ワイヤーを巻き上げることによって、天井ネットが引き上げられる。【選択図】図１
2016146959.tif 000002
【特許請求の範囲】
【請求項１】
鉛直部と、該鉛直部に固定され、水平方向に張り出した天井梁用継手と、該天井梁用継手に接続され、水平方向に張り出した天井梁と、前記鉛直部の先端と前記天井梁の先端とを連結する斜材と、前記天井梁用継手と前記鉛直部との固定を補強する水平方向に設置された略Ｃ字状の水平継手板と、前記天井梁用継手と前記鉛直部との固定を補強する鉛直方向に設置された台形状の鉛直リブと、を有し、
前記天井梁の先端に設置された先端滑車と前記鉛直リブに設置された天井滑車とに支持された天井ネット用ワイヤーによって、天井ネットが吊下げられることを特徴とする天井ネット吊下げ型防球ネットポール。
【請求項２】
前記鉛直リブに側面滑車が設置され、該側面滑車に支持された側面ネット用ワイヤーによって、側面ネットが吊下げられることを特徴とする請求項１記載の天井ネット吊下げ型防球ネットポール。
【請求項３】
前記水平継手板に接続され、前記天井梁に対して垂直な側面梁を有すことを特徴とする請求項１または２記載の天井ネット吊下げ型防球ネットポール。
【請求項４】
請求項１記載の天井ネット吊下げ型防球ネットポールと、
前記天井梁の先端に設置された先端滑車と、
前記鉛直リブに設置された天井滑車と、
前記先端滑車および前記天井滑車に支持された天井ネット用ワイヤーと、
前記天井ネット用ワイヤーによって吊り下げられた天井ネットと、
を有することを特徴とする天井吊下げ型防球ネットシステム。
【請求項５】
請求項２記載の天井ネット吊下げ型防球ネットポールと、
前記天井梁の先端に設置された先端滑車と、
前記鉛直リブに設置された天井滑車と、
前記先端滑車および前記天井滑車に支持された天井ネット用ワイヤーと、
前記天井ネット用ワイヤーによって吊り下げられた天井ネットと、
前記鉛直リブに設置された側面滑車と、
前記側面に支持された側面ネット用ワイヤーと、
前記側面ネット用ワイヤーによって吊り下げられた側面ネットと、
を有することを特徴とする天井吊下げ型防球ネットシステム。
【発明の詳細な説明】
【技術分野】
【０００１】
本発明は天井ネット吊下げ型防球ネットポールおよび天井吊下げ型防球ネットシステム、特に、野球やゴルフ等の球技の競技場や練習場に設置される防球ネットを支持するための天井ネット吊下げ型防球ネットポールと、これを有する天井吊下げ型防球ネットシステムに関する。
【背景技術】
【０００２】
球技の競技場や練習場には略鉛直面に沿って防球ネットが設置されている。複数の鋼管を接続して形成された例えば長さ４０ｍ程度の支柱（ポール）が、例えば２０ｍ程度の間隔を空けて地面に立設され、かかる支柱の先端にワイヤーが掛け渡され、ワイヤーによって合成繊維製の防球ネットが吊り下げられている。
このとき、防球ネットの上部に略懸垂線状に主吊りワイヤーを編み込み、防球ネットの天端部に縁取りと一体的に補助吊りワイヤーを組み込み、支柱の先端に掛け渡された主吊りワイヤーによって防球ネットの垂直方向の荷重ないし自重を支持し、支柱の先端間に補助吊りワイヤーを水平に設置することによって防球ネットの天端部を水平に支承する発明が開示されている（例えば、特許文献１参照）。
【先行技術文献】
【特許文献】
【０００３】
【特許文献１】特開平０６−１３４０７０号公報（第３−４頁、図１）
【発明の概要】
【発明が解決しようとする課題】
【０００４】
しかしながら、特許文献１に開示された発明は、支柱の高さを高くすることなく、防球ネットの天端部を水平に支承することができるものの、防球ネットは鉛直面に沿って設置されるものであるため、高く上がった球（ボール）が防球ネットを飛び越えることから、確実な防球が困難であるという問題があった。また、高く上がった球（ボール）を確実に防球しようとすると、支柱の高さが高くなり、製造コストの高騰および景観の悪化を招くという問題があった。
【０００５】
本発明は上記問題を解決するものであって、支柱の高さを高くすることなく、防球を確実にすることができる天井ネット吊下げ型防球ネットポールおよび天井吊下げ型防球ネットシステムを提供することを目的とする。
【課題を解決するための手段】
【０００６】
（１）本発明に係る天井ネット吊下げ型防球ネットポールは、鉛直部と、該鉛直部に固定され、水平方向に張り出した天井梁用継手と、該天井梁用継手に接続され、水平方向に張り出した天井梁と、前記鉛直部の先端と前記天井梁の先端とを連結する斜材と、前記天井梁用継手と前記鉛直部との固定を補強する水平方向に設置された略Ｃ字状の水平継手板と、前記天井梁用継手と前記鉛直部との固定を補強する鉛直方向に設置された台形状の鉛直リブと、を有し、
前記天井梁の先端に設置された先端滑車と前記鉛直リブに設置された天井滑車とに支持された天井ネット用ワイヤーによって、天井ネットが吊下げられることを特徴とする。
（２）また、前記鉛直リブに側面滑車が設置され、該側面滑車に支持された側面ネット用ワイヤーによって、側面ネットが吊下げられることを特徴とする。
（３）また、前記水平継手板に接続され、前記天井梁に対して垂直な側面梁を有すことを特徴とする。
【０００７】
（４）本発明に係る天井吊下げ型防球ネットシステムは、前記（１）記載の天井ネット吊下げ型防球ネットポールと、前記天井梁の先端に設置された先端滑車と、前記鉛直リブに設置された天井滑車と、前記先端滑車および前記天井滑車に支持された天井ネット用ワイヤーと、前記天井ネット用ワイヤーによって吊り下げられた天井ネットと、を有することを特徴とする。
（５）本発明に係る天井吊下げ型防球ネットシステムは、前記（２）記載の天井ネット吊下げ型防球ネットポールと、前記天井梁の先端に設置された先端滑車と、前記鉛直リブに設置された天井滑車と、前記先端滑車および前記天井滑車に支持された天井ネット用ワイヤーと、前記天井ネット用ワイヤーによって吊り下げられた天井ネットと、前記鉛直リブに設置された側面滑車と、前記側面に支持された側面ネット用ワイヤーと、前記側面ネット用ワイヤーによって吊り下げられた側面ネットと、有することを特徴とする。
【発明の効果】
【０００８】
（ｉ）本発明に係る天井ネット吊下げ型防球ネットポールは、鉛直部と、該鉛直部に固定され、鉛直部に固定された天井梁用継手と、天井梁用継手に接続された天井梁とを有し、該天井梁の先端は斜材を介して鉛直部の先端に連結され、天井梁用継手と鉛直部との固定は水平継手板および鉛直リブによって補強されているから、天井梁の撓みが抑えられている。
したがって、天井梁の先端に設置された先端滑車と鉛直リブに設置された天井滑車とによって天井ネット用ワイヤーを支持すれば、天井ネット用ワイヤーによって吊り下げられた天井ネットの垂れ下がりが抑えられる。
【０００９】
（ｉｉ）また、本発明に係る天井吊下げ型防球ネットシステムは、本発明に係る天井ネット吊下げ型防球ネットポールを有するものであって、天井ネット用ワイヤーによって吊り下げられた天井ネットの垂れ下がりが抑えられるから、鉛直部（支柱）の高さを高くすることなく、防球を確実にすることができ、また、景観の悪化を防止すると共に、製造コストを安価に抑えることが可能になる。
【図面の簡単な説明】
【００１０】
【図１】本発明の実施の形態１に係る天井ネット吊下げ型防球ネットポールを説明するものであって、図１の（ａ）は平面図、図１の（ｂ）は正面図、図１の（ｃ）は底面図。
【図２】本発明の実施の形態１に係る天井ネット吊下げ型防球ネットポールを説明するものであって、図２の（ａ）は左側面図、図２の（ｂ）は右側面図。
【図３】本発明の実施の形態１に係る天井ネット吊下げ型防球ネットポールを説明するものであって、側面梁が取り付けられた状態を示す平面図。
【図４】本発明の実施の形態２に係る天井ネット吊下げ型防球ネットポールを説明するものであって、側面梁が取り付けられた状態を示す平面図。
【図５】本発明の実施の形態３に係る天井吊下げ型防球ネットシステムを説明するものであって、図５の（ａ）は平面図、図５の（ｂ）は展開図。
【図６】本発明の実施の形態３に係る天井吊下げ型防球ネットシステムを説明するものであって、一部を示す正面図。
【図７】本発明の実施の形態４に係る天井吊下げ型防球ネットシステムを説明するものであって、図７の（ａ）は平面図、図７の（ｂ）は展開図。
【発明を実施するための形態】
【００１１】
［実施の形態１］
図１および図２は、本発明の実施の形態１に係る天井ネット吊下げ型防球ネットポールを説明するものであって、図１の（ａ）は平面図、図１の（ｂ）は正面図、図１の（ｃ）は底面図、図２の（ａ）は左側面図、図２の（ｂ）は右側面図である。なお、各部は模式的に示すものであって、本発明は図示された形態（形状や相対的な大きさ）に限定されるものではない。
【００１２】
（天井ネット吊下げ型防球ネットポール）
図１および図２において、天井ネット吊下げ型防球ネットポール（以下「ネットポール」と称す）１００は、何れも鋼管によって形成された鉛直部１０、鉛直部１０の途中から水平方向に張り出した天井梁２０、鉛直部１０の先端と天井梁２０の先端とを連結する斜材３０、を有している。
なお、ネットポール１００は、野球やゴルフ等の球技の競技場や練習場に設置され、ボールの場外への飛散を防止する防球ネットを設置するためのものである（これについては、別途詳細に説明する）。
【００１３】
（鉛直部）
鉛直部１０は１本または複数本の鋼管を連結したものであって、途中から水平方向に張り出すように天井梁用継手管５０が固定され、先端部には管軸に対して平行に、斜材用上継手板１３が固定され、上端は鉛直部蓋１２によって塞がれている。
【００１４】
（天井梁用継手管）
天井梁用継手管（以下「継手管」と称す）５０は、鉛直部１０の外面に水平方向に張り出すように固定され、継手管５０の先端（鉛直部１０から遠い側の端面）には、継手管フランジ５２が固定されている。そして、継手管５０は、水平継手板４０と、鉛直部１０の外面に管軸に対して平行に固定された鉛直リブ５３、５１とに、よって補強されている。なお、鉛直リブ５１には、図示しない天井滑車を取り付けるための貫通孔と、図示しない側面滑車を取り付けるための貫通孔と、が形成されている。
【００１５】
（水平継手板管）
水平継手板４０は、略Ｃ字状の板材（鋼材）であって、中央に鉛直部１０の外径に略等しい内径の中心孔と、中心孔に連通し、継手管５０の外径に略等しい幅のスリットとが形成されている。そして、中心孔の周囲において、中心孔を貫通した鉛直部１０の外面に溶接によって固定されている。
また、スリットには継手管５０が侵入し、スリットに沿って、継手管５０の外周と継手管用範囲４５とが溶接によって接合されている。
また、継手管用範囲４５に対して垂直の位置に、側面梁用範囲４６、４７が形成されている。なお、側面梁用範囲４６、４７には、貫通孔が形成され、側面梁用範囲４６、４７の上面に後記する側面梁６０、７０が設置されることになる（これについては別途詳細に説明する）。
さらに、側面梁用範囲４６、４７の下面には、鉛直部１０の外面に管軸に対して平行に固定された補強リブ４８、４９が溶接によって固定され、水平継手板４０は補強されている。
【００１６】
（天井梁）
天井梁２０の一方の端部に天井梁フランジ２５が固定され、天井梁フランジ２５は継手管フランジ５２に突き合わされ、両者に形成された貫通孔を貫通するボルトと、これに螺合するナットとによって、互いに接続されている。
また、天井梁２０の他方の端部（先端に同じ）には、斜材用下継手板２３が固定され、斜材用下継手板２３に対向する位置に先端滑車取付板２１が固定され、先端滑車取付板２１に対して垂直な位置（水平方向に同じ）に横滑車取付板２６、２７が固定されている。また、天井梁２０の他方の端部（先端に同じ）は、天井梁蓋２４によって塞がれている。なお、先端滑車取付板２１には、図示しない先端滑車を取り付けるための貫通孔が形成されている。
【００１７】
（斜材）
斜材３０の両端には、それぞれ斜材継手板３１、３２が固定されて、両端はそれぞれ斜材蓋３３、３４によって塞がれている。すなわち、斜材蓋３３、３４のそれぞれには斜材蓋３３、３４を二等分するスリットが形成され、該スリットに連なったスリットが斜材３０の両端面にも形成されている。そして、斜材継手板３１、３２の一部が、斜材蓋３３、３４に形成されたスリットと斜材３０に形成されたスリットに挿入され、スリットに沿った溶接によって、斜材３０の外面と斜材継手板３１、３２とが、および斜材蓋３３、３４と斜材継手板３１、３２とが、それぞれ接合されている。
そして、鉛直部１０に固定された斜材用上継手板１３と斜材３０の斜材継手板３１とは、両者の一部同士が重ねられた状態で、両者に形成された貫通孔を貫通するボルトと、これに螺合するナットとによって、互いに接続されている。
また、天井梁２０に固定された斜材用下継手板２３と斜材３０の斜材継手板３２とは、両者の一部同士が重ねられた状態で、両者に形成された貫通孔を貫通するボルトと、これに螺合するナットとによって、互いに接続されている。
【００１８】
（作用）
以上のように、ネットポール１００は、同一面内に配置された鉛直部１０と天井梁２０と斜材３０とによって、側面視で直角三角形を形成し、鉛直部１０と天井梁２０と斜材３０とが堅固に接続されている。したがって、天井梁２０の先端（先端滑車取付板２１に同じ）に鉛直部１０の軸心と平行な力が作用しても、天井梁２０の先端の撓みが抑えられる。
【００１９】
（側面梁）
図３は、本発明の実施の形態１に係る天井ネット吊下げ型防球ネットポールを説明するものであって、側面梁が取り付けられた状態を示す平面図である。
図３において、側面梁６０の端部には、貫通孔が形成された側面梁継手板６１が固定されて、側面梁６０の端面は側面梁蓋６２によって塞がれている。また、側面梁蓋６２には側面梁蓋６２を二等分するスリットが形成され、該スリットに連なったスリットが側面梁６０の端部にも形成されている。そして、側面梁継手板６１の一部が、スリットに挿入され、スリットに沿った溶接によって、側面梁継手板６１は、側面梁６０および側面梁蓋６２に固定されている。
そして、水平継手板４０の側面梁用範囲４６の上面に側面梁６０の側面梁継手板６１がボルト／ナットによって、接続されている。
また、同様に、側面梁７０の端部には側面梁継手板７１が固定されて、その端面は側面梁蓋７２によって塞がれている。そして、水平継手板４０の側面梁用範囲４７の上面に側面梁７０の側面梁継手板７１がボルト／ナットによって、接続されている。
【００２０】
すなわち、側面梁６０、７０は水平継手板４０を介して鉛直部１０に接続されている。このとき、水平継手板４０の内周は、鉛直部１０の外面に固定され、また、水平継手板４０は補強リブ４１ａ、４１ｂによって補強され、さらに、水平継手板４０は鉛直部１０に固定された継手管５０の外面にも固定されているから、同一面内に配置された天井梁２０と側面梁６０、７０との間で、両者によって形成される角度（９０°）を変更させるような力が作用しても、かかる角度の変更が抑えられている。すなわち、ネットポール１００は、側面梁６０、７０を堅固に配置することが可能な構造になっている。
そして、ネットポール１００は、天井梁２０に対して垂直な両方にそれぞれ側面梁６０、７０が設置されるから、複数のネットポール１００を所定の間隔（側面梁６０、７０の長さ）だけ離して立設することによって、広い範囲に渡って、防球ネットを設置することが可能になる（これについては別途詳細に説明する）。
【００２１】
［実施の形態２］
図４は、本発明の実施の形態２に係る天井ネット吊下げ型防球ネットポールを説明するものであって、側面梁が取り付けられた状態を示す平面図である。なお、実施の形態１と同じ部分または相当する部分には同じ符号を付し、一部の説明を省略する。
図４において、天井ネット吊下げ型防球ネットポール（以下「ネットポール」と称す）２００は、実施の形態１において説明したネットポール１００の水平継手板４０を水平継手板８０に変更したものであって、これを除く部分はネットポール１００に同じである。したがって、以下、水平継手板４０と水平継手板８０との相違について説明する。
【００２２】
水平継手板８０は、水平継手板４０の側面梁用範囲４７が撤去されたものと同じであり、継手管用範囲４５と側面梁用範囲４６とを具備している。そのため、水平継手板８０には一対の側面梁６０、７０を設置することができないが、一方の側面梁６０を設置することができる。
すなわち、ネットポール２００は、天井梁２０に対して垂直な片側のみに側面梁６０が設置されるから、ネットポール１００と協働して、あるいはネットポール２００単独で、様々な形態の天井吊下げ型防球ネットシステムを形成することができる。
【００２３】
［実施の形態３］
図５および図６は、本発明の実施の形態３に係る天井吊下げ型防球ネットシステムを説明するものであって、図５の（ａ）は平面図、図５の（ｂ）は展開図、図６は一部を示す正面図である。なお、各部は模式的に示すものであって、本発明は図示された形態（形状や相対的な大きさ）に限定されるものではない。また、実施の形態１、２と同じ部分または相当する部分には同じ符号を付し、一部の説明を省略する。
図５において、天井吊下げ型防球ネットシステム（以下「防球ネットシステム」と称す）３００は、野球場の地盤９００に設置されたものであって、本塁ベース（図示しない）を挟んで、一塁側と三塁側とのそれぞれに、複数本のネットポール１００（実施の形態１参照）が立設されている。
このとき、一塁側の形態と三塁側の形態とが対称であるため、以下、一塁側について説明するが、本発明は、一塁側の形態と三塁側の形態とが対称であるものに限定するものではなく、例えば、三塁側のみにネットポール１００を立設したり、三塁側のネットポール１００の本数を一塁側よりも多くしたりしてもよい。
【００２４】
防球ネットシステム３００の一塁側には、ネットポール１００ａ、１００ｂ、１００ｃおよび鋼管柱３１０ａ、３１０ｂ、３１０ｃが、所定の間隔を空けて立設されている。以下、説明の便宜上、ネットポール１００ａ、１００ｂ、１００ｃを形成する部材については符号に「ａ、ｂ、ｃ」を追記する。
本塁ベース（図示しない）から最も離れた位置に鋼管柱３１０ａが立設され、鋼管柱３１０ａよりも本塁ベース（図示しない）寄り（バックネット寄りに同じ）にネットポール１００ａ、１００ｂ、１００ｃおよび鋼管柱３１０ｂ、３１０ｃが、直線状に立設されている。
【００２５】
そして、ネットポール１００ａの水平継手板４０ａ（図３に示す４０に同じ）には、側面梁６０ａ、６０ｂ（図３における側面梁７０に相当する）の一方の端部が設置されている。側面梁６０ａの他方の端部は鋼管柱３１０ａに設置され、側面梁６０ｂの他方の端部は、ネットポール１００ｂの水平継手板４０ｂ（図３等参照）に設置されている。
また、ネットポール１００ｂの水平継手板４０ｂ（図３等参照）とネットポール１００ｃの水平継手板４０ｃ（図３等参照）とに、側面梁６０ｃの両端がそれぞれ設置されている。さらに、ネットポール１００ｃの水平継手板４０ｃ（図３等参照）と鋼管柱３１０ｂとに、側面梁７０ｃの両端がそれぞれ設置されている。
【００２６】
図６において、ネットポール１００ａの天井梁２０ａの先端滑車取付板２１（図１の（ｂ）参照）に先端滑車３２ａ１が取り付けられ、鉛直リブ５１ａ（図１の（ｂ）参照）には、天井滑車３２２ａおよび側面滑車３３３ａが取り付けられている。そして、先端滑車３２１ａおよび天井滑車３２２ａに天井ネット用ワイヤー３２３ａが支持され、天井滑車３２２ａに天井ネット用ワイヤー３２４ａが支持され、天井ネット用ワイヤー３２３ａ、３２４ａの一方の端部は、それぞれ天井ネット３２０に接続され、天井ネット用ワイヤー３２３ａ、３２４ａの他方の端部側は、ネットポール１００ａの地上近くに設置された天井ネット用ウインチ３２５ａによって巻き上げられる。
また、側面滑車３３３ａに側面ネット用ワイヤー３３４ａが支持され、側面ネット用ワイヤー３３４ａの一方の端部は側面ネット３３０に接続され、側面ネット用ワイヤー３３４ａの他方の端部側は、ネットポール１００ａの地上近くに設置された側面ネット用ウインチ３３５ａによって巻き上げられる。
【００２７】
同様に、ネットポール１００ｂ、１００ｃのそれぞれにおいても、天井ネット３２０に接続された天井ネット用ワイヤーが天井ネット用ウインチによって巻き上げられ、側面ネット３３０に接続された側面ネット用ワイヤーが側面ネット用ウインチによって巻き上げられる。
なお、鋼管柱３１０ａ、３１０ｂ、３１０ｃには、先端滑車が設置されていないものの、ネットポール１００ａ等と同様に、天井滑車および側面滑車が設置されているから、鋼管柱３１０ａ、３１０ｂ、３１０ｃのそれぞれにおいて、天井ネット３２０に接続された天井ネット用ワイヤーが天井ネット用ウインチによって巻き上げられ、側面ネット３３０に接続された側面ネット用ワイヤーが側面ネット用ウインチによって巻き上げられる。
【００２８】
以上のように、防球ネットシステム３００は、実施の形態１において説明したネットポール１００を有し、ネットポール１００は前記のように、天井梁２０および側面梁６０、７０の撓みを抑え、かつ、天井梁２０と側面梁６０とのなす角度および天井梁２０と側面梁７０とのなす角度を垂直に保持するから、天井ネット３２０の垂れ下がり量を抑え、天井ネット３２０および側面ネット３３０を設計通りに配置する（吊り上げる）ことができる。
したがって、ネットポール１００の高さを高くすることなく、防球を確実にすることができ、また、景観の悪化を防止すると共に、製造コストを安価に抑えることが可能になる。
なお、以上は、天井ネット３２０および側面ネット３３０が何れも、全域を覆う１枚である場合を説明しているが、それぞれ複数枚に分割したものであってもよい。
【００２９】
（変形例）
防球ネットシステム３００では、鋼管柱３１０ａとネットポール１００ａとの間に、天井ネット３２０が設置されているが、本発明はこれに限定するものではなく、鋼管柱３１０ａとネットポール１００ａとの間のみ天井ネット３２０がないようにしてもよい。このとき、鋼管柱３１０ａに天井滑車を取り付ける必要がない。
また、防球ネットシステム３００では、鋼管柱３１０ｂと鋼管柱３１０ｃとが側面梁によって連結されていないが、本発明はこれに限定するものではなく、鋼管柱３１０ｂと鋼管柱３１０ｃとを側面梁によって連結したり、一塁側の鋼管柱３１０ｃと三塁側の鋼管柱３１０ｃとを側面梁によって連結したりしてもよい。
さらに、防球ネットシステム３００では、天井ネット３２０が略Ｌ字状に配置されているが、本発明はこれに限定するものではなく、例えば、テニスコートに沿って、天井ネットを矩形状（ロ字状）や平行（ニ字状）に配置してもよい。
【００３０】
［実施の形態４］
図７は、本発明の実施の形態４に係る天井吊下げ型防球ネットシステムを説明するものであって、図７の（ａ）は平面図、図７の（ｂ）は展開図である。なお、各部は模式的に示すものであって、本発明は図示された形態（形状や相対的な大きさ）に限定されるものではない。また、実施の形態１、２と同じ部分または相当する部分には同じ符号を付し、一部の説明を省略する。
図７において、天井吊下げ型防球ネットシステム（以下「防球ネットシステム」と称す）４００は、野球場に設置されたものであって、本塁ベース（図示しない）を挟んで、一塁側と三塁側とのそれぞれに、複数本のネットポール２００（実施の形態１参照）が立設されている。
このとき、一塁側の形態と三塁側の形態とが対称であるため、以下、一塁側について説明するが、本発明は、一塁側の形態と三塁側の形態とが対称であるものに限定するものではなく、例えば、三塁側のみにネットポール２００を立設したり、１塁側または三塁側に鋼管柱に代えてまたは追加してネットポール１００を立設したりしてもよい。
【００３１】
防球ネットシステム４００の一塁側には、ネットポール２００および鋼管柱４１０ａ、４１０ｂ、４１０ｃ、４１０ｄが、所定の間隔を空けて立設されている。以下、説明の便宜上、ネットポール１００ａ、１００ｂ、１００ｃを形成する部材については符号に「ａ、ｂ、ｃ」を追記する。
本塁ベース（図示しない）から最も離れた位置に鋼管柱４１０ａが立設され、鋼管柱３４０ａよりも本塁ベース（図示しない）寄り（バックネット寄りに同じ）にネットポール２００および鋼管柱４１０ｂ、４１０ｃ、４１０ｄが、直線状に立設されている。
【００３２】
そして、ネットポール２００の水平継手板８０（図４等参照）には、側面梁６０の一方の端部が設置されている。側面梁６０の他方の端部は鋼管柱４１０ａに設置されている。
また、防球ネットシステム３００のネットポール１００ａと同様に（図６参照）、防球ネットシステム４００のネットポール２００にも、天井梁２０の先端滑車取付板２１（図１の（ｂ）参照）に先端滑車が取り付けられ、鉛直リブ５１（図１の（ｂ）参照）には、天井滑車および側面滑車が取り付けられている（何れも図示しない）。
そして、先端滑車および天井滑車に天井ネット用ワイヤー（図示しない）が支持され、天井滑車にもう１本の第２天井ネット用ワイヤーが支持され、２本の天井ネット用ワイヤーの一方の端部は、それぞれ天井ネット４２０に接続され、２本の天井ネット用ワイヤーの他方の端部側は、ネットポール２００の地上近くに設置された天井ネット用ウインチ（図示しない）によって巻き上げられる。
また、側面滑車に側面ネット用ワイヤー（図示しない）が支持され、側面ネット用ワイヤーの一方の端部は側面ネット４３０に接続され、側面ネット用ワイヤーの他方の端部側は、ネットポール２００の地上近くに設置された側面ネット用ウインチ（図示しない）によって巻き上げられる。
【００３３】
なお、鋼管柱４１０ａには側面滑車のみが設置されている。また、鋼管柱４１０ｂ、４１０ｃ、４１０ｄには、先端滑車がないものの、ネットポール２００と同様に、天井滑車および側面滑車が設置されている。
したがって、鋼管柱３１０ａ、３１０ｂ、３１０ｃのそれぞれにおいて、天井ネット４２０に接続された天井ネット用ワイヤーが天井ネット用ウインチによって巻き上げられ、側面ネット４３０に接続された側面ネット用ワイヤーが側面ネット用ウインチによって巻き上げられる。
したがって、鋼管柱４１０ａとネットポール２００との間には、天井ネット４２０がないものの、これを除く範囲、すなわち、ネットポール２００と鋼管柱４１０ｄとの間、および一塁側と鋼管柱４１０ｄと三塁側の鋼管柱４１０ｄとの間に、天井ネット４２０が配置されて（引き上げられて）いる。
また、鋼管柱４１０ａと鋼管柱４１０ｄとの間、および一塁側と鋼管柱４１０ｄと三塁側の鋼管柱４１０ｄとの間に、側面ネット４３０が配置されて（引き上げられて）いる。
【００３４】
以上のように、防球ネットシステム３００は、実施の形態２において説明したネットポール２００を有し、ネットポール２００はネットポール１００と同様に、天井梁２０および側面梁６０の撓みを抑え、かつ、天井梁２０と側面梁６０とのなす角度を垂直に保持するから、天井ネット４２０の垂れ下がり量を抑え、天井ネット４２０および側面ネット４３０を設計通りに配置する（吊り上げる）ことができる。
したがって、ネットポール２００の高さを高くすることなく、防球を確実にすることができ、また、景観の悪化を防止すると共に、製造コストを安価に抑えることが可能になる。
【００３５】
（変形例）
防球ネットシステム４００では、以上の構成であるが、鋼管柱４１０ｂ、４１０ｃに代えてネットポール１００（実施の形態１参照）を立設して、ネットポール１００の先端滑車に支持された天井ネットワイヤーによって、天井ネット４２０を吊り下げるようにしてもよい。
【産業上の利用可能性】
【００３６】
本発明によれば、天井ネット用ワイヤーによって吊り下げられた天井ネットの垂れ下がりが抑えられるから、支柱（ネットポール）の高さを高くすることなく、防球を確実にすることができ、また、景観の悪化を防止すると共に、製造コストを安価に抑えることが可能になるため、各種球技の競技場や練習場における防球装置として広く利用することができる。
【符号の説明】
【００３７】
１０    ：鉛直部
１０ａ  ：鉛直部
１２    ：鉛直部蓋
１２ａ  ：鉛直部蓋
１３    ：斜材用上継手板
１３ａ  ：斜材用上継手板
２０    ：天井梁
２０ａ  ：天井梁
２１    ：先端滑車取付板
２１ａ  ：先端滑車取付板
２３    ：斜材用下継手板
２３ａ  ：斜材用下継手板
２４    ：天井梁蓋
２４ａ  ：天井梁蓋
２５    ：天井梁フランジ
２５ａ  ：天井梁フランジ
２６    ：横滑車取付板
２６ａ  ：横滑車取付板
２７    ：横滑車取付板
３０    ：斜材
３０ａ  ：斜材
３１    ：斜材継手板
３１ａ  ：斜材継手板
３２    ：斜材継手板
３２ａ  ：斜材継手板
３３    ：斜材蓋
３３ａ  ：斜材蓋
３４    ：斜材蓋
３４ａ  ：斜材蓋
４０    ：水平継手板
４０ａ  ：水平継手板
４０ｂ  ：水平継手板
４０ｃ  ：水平継手板
４１ａ  ：補強リブ
４５    ：天井梁用範囲
４６    ：側面梁用範囲
４７    ：側面梁用範囲
４８    ：補強リブ
４９    ：補強リブ
５０    ：天井梁用継手管
５１    ：鉛直リブ
５２    ：継手管フランジ
５３    ：鉛直リブ
６０    ：側面梁
６０ａ  ：側面梁
６０ｂ  ：側面梁
６０ｃ  ：側面梁
６１    ：側面梁継手板
６２    ：側面梁蓋
７０    ：側面梁
７０ｃ  ：側面梁
７１    ：側面梁継手板
８０    ：水平継手板
１００  ：天井ネット吊下げ型防球ネットポール（ネットポール）
１００ａ：天井ネット吊下げ型防球ネットポール（ネットポール）
１００ｂ：天井ネット吊下げ型防球ネットポール（ネットポール）
１００ｃ：天井ネット吊下げ型防球ネットポール（ネットポール）
２００  ：天井ネット吊下げ型防球ネットポール（ネットポール）
３００  ：天井吊下げ型防球ネットシステム（防球ネットシステム）
３１０ａ：鋼管柱
３１０ｂ：鋼管柱
３１０ｃ：鋼管柱
３２０  ：天井ネット
３２１ａ：先端滑車
３２２ａ：天井滑車
３２３ａ：天井ネット用ワイヤー
３２４ａ：天井ネット用ワイヤー
３２５ａ：天井ネット用ウインチ
３３０  ：側面ネット
３３３ａ：側面滑車
３３４ａ：側面ネット用ワイヤー
３３５ａ：側面ネット用ウインチ
３４０ａ：鋼管柱
４００  ：天井吊下げ型防球ネットシステム（防球ネットシステム）
４１０ａ：鋼管柱
４１０ｂ：鋼管柱
４１０ｄ：鋼管柱
４２０  ：天井ネット
４３０  ：側面ネット
９００  ：地盤
【図１】
2016146959.tif 000003
【図２】
2016146959.tif 000004
【図３】
2016146959.tif 000005
【図４】
2016146959.tif 000006
【図５】
2016146959.tif 000007
【図６】
2016146959.tif 000008
【図７】
2016146959.tif 000009